(57)【要約】【課題】ＥＬを用いることによって小型軽量化が可能であり、反射光と透過光のいずれによっても画像の色の変化しない鮮明な画像を見ることの可能な画像表示装置を提供すること。【解決手段】シート状体からなって多数の透過孔２１が設けられ、表面に第１の画像１１１が形成された不透明な第１の画像層１２と、第１の画像層１２の裏面に配置され、多数の透過孔２１を通して観察可能な第２の画像１２２が形成された透明なシートからなる第２の画像層１２と、第２の画像層１２の裏面に配置され、第２の画像１２２を背面から照明するための照明装置１３とを有してなる。【選択図】      図１
2005031376.tif 000002
【特許請求の範囲】
【請求項１】
シート状体からなって多数の透過孔が設けられ、表面に第１の画像が形成された不透明な第１の画像層と、
前記第１の画像層の裏面に配置され、前記多数の透過孔を通して観察可能な第２の画像が形成された透明なシートからなる第２の画像層と、
前記第２の画像層の裏面に配置され、前記第２の画像を背面から照明するための照明装置と、
を有してなることを特徴とする画像表示装置。
【請求項２】
前記第１の画像は反射光用の画像であり、前記第２の画像は透過光用の画像である、
請求項１記載の画像表示装置。
【請求項３】
前記第１の画像および前記第２の画像は、同じ１つの画題についての画像であり、これらを合成して見たときに統一された１つの画像として観察される画像である、
請求項１または２記載の画像表示装置。
【請求項４】
前記照明装置は、シート状のエレクトロルミネッセンスライトである、
請求項１ないし３のいずれかに記載の画像表示装置。
【請求項５】
前記第１の画像層は、裏面が黒色に形成されている、
請求項１ないし４のいずれかに記載の画像表示装置。
【請求項６】
シート状体からなって多数の透過孔が設けられ、表面に第１の画像が形成された不透明な第１の画像層と、
前記第１の画像層の裏面に配置され、前記多数の透過孔を通して観察可能な第２の画像が形成された透明なシートからなる第２の画像層と、
を有してなることを特徴とする画像シート。
【請求項７】
前記第２の画像層の裏面には、接着層および剥離シートが設けられている、
請求項６記載の画像シート。
【発明の詳細な説明】
【０００１】
【発明の属する技術分野】
本発明は、前面からの光と背面からの光のいずれによっても画像を表示することのできる画像表示装置および画像シートに関する。
【０００２】
【従来の技術】
従来より、駅の構内、ホテルやデパートの室内壁面、またはビルの屋外の壁面などに、装飾用または広告用の画像表示装置がしばしば取り付けられる。
【０００３】
通常、このような画像表示装置は、画像が形成された画像シートを適当なパネル枠に取付け、画像シートの背面から照明を行うように蛍光灯をバックライトとして取り付けた構造のものが用いられる。画像シートとして、乳白色の半透明のフィルムからなる支持体の両面に同じ画像を印刷したものが用いられる。印刷に代えて写真焼付けを行ったものも用いられる（特開昭５９−２２２８３５号）。
【０００４】
このような画像表示装置では、背面からの照明による透過光によって、画像が適切な濃度で鮮明に見える。背面の照明を消した場合でも、外部からの光による反射光によって画像が適切な濃度で一応鮮明に見える。
【０００５】
【特許文献】
特開昭５９−２２２８３５号
【０００６】
【発明が解決しようとする課題】
しかし、上に述べた従来の画像表示装置では、バックライト用に蛍光灯が用いられるので、照明装置の形状寸法が大きくなり、装置の全体として大型化し重量も大きくなっていた。
【０００７】
そこで、バックライト用の照明装置としてＥＬ（エレクトロルミネッセンスライト）を用いることが考えられる。
ＥＬは、輝度を高くするために、通常、発光原に硫化亜鉛が利用される。その場合に、発光色が青緑色となってしまうので、そのままではカラー画像のバックライトとして使用することができない。そのため、発光原の表面に青緑色の反対色であるピンク（桃色、赤色系）のコーティングを行うことにより、白色光または昼光色をだすように補正する。しかし、この表面色がピンク色の光源を利用してカラー画像を表現する際に、乳白色のシート状のものに画像をプリントして利用すると、正確な色彩を表示することができないという問題がある。
【０００８】
つまり、ＥＬをバックライトとして用いて画像を見た場合に、乳白色のシート状のものに画像を形成したものでは、反射光（フロントライト）または透過光（バックライト）のいずれで画像を見た場合も、使用方法に多少の強弱の差はあっても、ピンク色のベースが反応して画像の色がピンク掛かった色に変化してしまい、正確な色彩表現ができない。
【０００９】
本発明は、上述の問題に鑑みてなされたもので、ＥＬを用いることによって小型軽量化が可能であり、反射光または透過光のいずれによっても画像の色の変化しない鮮明な画像を見ることの可能な画像表示装置および画像シートを提供することを目的とする。
【００１０】
【課題を解決するための手段】
本発明に係る画像表示装置は、シート状体からなって多数の透過孔が設けられ、表面に第１の画像が形成された不透明な第１の画像層と、前記第１の画像層の裏面に配置され、前記多数の透過孔を通して観察可能な第２の画像が形成された透明なシートからなる第２の画像層と、前記第２の画像層の裏面に配置され、前記第２の画像を背面から照明するための照明装置とを有してなる。
【００１１】
好ましくは、前記第１の画像は反射光用の画像であり、前記第２の画像は透過光用の画像である。また、前記第１の画像および前記第２の画像は、同じ１つの画題についての画像であり、これらを合成して見たときに統一された１つの画像として観察される画像である。
【００１２】
好ましくは、前記照明装置として、シート状のエレクトロルミネッセンスライトが用いられる。これによると、全体が軽量小型化される。
すなわち、透過孔を通して観察可能な第２の画像を透明なシート上に形成することにより、照明装置によるバックライトの表面の色がピンク色であった場合でも、光源の光は透明のシートを透過するので、シートがピンク色と干渉することが少なく、したがってピンク掛かった色に変化することが極力抑制される。
【００１３】
【発明の実施の形態】
図１は本発明に係る画像表示装置１の構成を示す断面図、図２は照明装置１３の構成の一例を示す断面図、図３は第１の画像層１１の正面図、図４は他の例の第１の画像層１１Ｂを示す正面図、図５は画像表示装置１を分解して示す斜視図である。
【００１４】
図１において、画像表示装置１は、第１の画像層１１、第２の画像層１２、および照明装置１３からなる。
第１の画像層１１は、不透明のシートからなって多数の透過孔が設けられ、表面に第１の画像１１１が形成されている。すなわち第１の画像層１１は、シート状体１１２、シート状体１１２の表面に形成された第１の画像１１１、シート状体１１２の裏面に形成された黒色の遮光層１１３、および、遮光層１１３の表面に形成された粘着層１１４からなる。そして、第１の画像層１１には、多数の透過孔２１，２１…が設けられている。
【００１５】
シート状体１１２の材料として、ＰＥＴ、ポリエステル、ポリプロピレンなどの可撓性のある合成樹脂が用いられる。厚さは、１０分の数ミリメートル〜数ミリメートル程度である。
【００１６】
第１の画像１１１は、インクジェットプリンタによりシート状体１１２の表面に印刷することによって形成される。シート状体１１２の表面におけるインクの浸透性が悪い場合には、シート状体１１２の表面にインクの浸透性を向上させるためのコーティングを行っておけばよい。
【００１７】
また、シート状体１１２の表面に写真焼付けを行うことによって第１の画像１１１を形成することもできる。その場合には、シート状体１１２の表面に写真乳剤層を設けておき、写真乳剤層に露光を行って画像を焼付け、現像および定着を行えばよい。第１の画像１１１の表面に保護層を設けてもよい。
【００１８】
図３に示すように、第１の画像層１１には、縦方向および横方向に多数の円形の透過孔２１が設けられている。本実施形態において、多数の透過孔２１によるスクリーン角は４５度であるが、他の角度でもよい。
【００１９】
また、図４に示すように、多数の長方形の透過孔２１Ｂが設けられた第１の画像層１１Ｂを用いてもよい。
このような透過孔２１による開口率、つまり第１の画像層１１の表面積に対する透過孔２１の総面積は、約５０％である。しかし、開口率は、３０、４０、６０、または７０％など、他の値であってもよい。
【００２０】
透過孔２１は、第１の画像層１１の表面から裏面に貫通して設けられる。透過孔２１の形成に当たり、第１の画像１１１に透過孔２１を設けておき、これに第１の画像１１１、遮光層１１３、粘着層１１４を設けてもよい。その場合に、透過孔２１の部分には第１の画像１１１、遮光層１１３、および粘着層１１４が形成されないようにする。但し、粘着層１１４が透明である場合には透過孔２１の部分に形成されてもよい。
【００２１】
また、透過孔２１の設けられていないシート状体１１２に第１の画像１１１、遮光層１１３、および粘着層１１４を形成し、その後に透過孔２１を形成してもよい。
【００２２】
このように、第１の画像１１１は、第１の画像層１１の表面のうち、透過孔２１のあいてない部分にのみ形成される。実際に第１の画像１１１を見た場合に、透過孔２１のない場合と比べて画像の鮮明さは若干劣るが、遠くから見ると実用上差し支えない程度の鮮明さが得られる。
【００２３】
粘着層１１４は、シート状体１１２またはシート状体１１２を中心とする積層体と第２の画像層１２とを接合するためのものである。第２の画像層１２が透けて見えるように適度に透明である必要がある。両面テープのような構成であってもよい。粘着層１１４を第２の画像層１２の表面に設けてもよい。第１の画像層１１と第２の画像層１２とが一体で形成される場合には省略してもよい。
【００２４】
第２の画像層１２は、第１の画像層１１の裏面に配置され、多数の透過孔２１を通して観察可能な第２の画像１２２が形成されている。すなわち第２の画像層１２は、透明なシート状体１２１、シート状体１２１の表面に形成された第２の画像１２２、および、第２の画像１２２の表面に設けられた粘着層１２３からなる。
【００２５】
シート状体１２１の材料として、ＰＥＴ、ポリエステル、ポリプロピレンなどの可撓性のある合成樹脂が用いられる。厚さは、１０分の数ミリメートル〜数ミリメートル程度である。
【００２６】
第２の画像１２２は、インクジェットプリンタによりシート状体１２１の表面に印刷することによって形成される。シート状体１１２の表面におけるインクの浸透性を向上させるために透明のコーティングを行っておいてもよい。また、シート状体１２１の表面に写真焼付けを行ってもよい。第２の画像１２２の表面に保護層を設けてもよい。
【００２７】
本実施形態において、第２の画像１２２と上に述べた第１の画像１１１とは、同じ１つの画題についての画像であり、これらを合成して見たときに統一された１つの画像として観察される画像である。つまり、これらのうちの一方の画像を見た場合と両方を見た場合とで画像の内容に違いがなく、同じ画像を見ることになる。しかし、これらの画像を互いに異なる画題についての画像としてもよい。例えば、一方が人物で他方が風景、一方が人物で他方が違う人物、一方が風景で他方が違う風景としてもよい。両方を同時に見たときにはそれらが合成されて見えることになる。線画や文字などをも含めて組み合わせてもよい。また、同じ画像ではあるが色違いであってもよい。
【００２８】
なお、第１の画像１１１は反射光用の画像であり、第２の画像１２２は透過光用の画像である。つまり、第１の画像１１１は、外部からの光によって第１の画像層１１の表面が照明され、その反射光が観察者の目に入ることによって第１の画像１１１が観察される。これに対して第２の画像１２２は、後述する照明装置１３による背面からの照明による透過光が観察者の目に入ることによって第２の画像１２２が観察される。したがって、第２の画像１２２は、第１の画像１１１よりも濃度（コントラスト）を高めておく必要がある。
【００２９】
粘着層１２３は、シート状体１２１またはシート状体１２１を中心とする積層体と照明装置１３とを接合するためのものである。光が透過するように、また照明装置１３によって着色されないように適度に透明である必要がある。両面テープのような構成であってもよい。照明装置１３と接合しない場合には粘着層１２３は不要である。
【００３０】
照明装置１３は、第２の画像層１２の裏面に配置され、第２の画像１２２を背面から照明する。本実施形態では、照明装置１３として、無機ＥＬ（エレクトロルミネッセンスライト）が用いられる。
【００３１】
図２に示すように、無機ＥＬである照明装置１３は、保護層１３０、透明電極１３１、発光層１３２、絶縁層１３３、背面電極１３４、および保護層１３５からなる。表面の大きさは第１の画像層１１および第２の画像層１２と同じであり、厚さは１０分の数ミリメートル〜数ミリメートル程度である。交流電圧を印加することにより発光する。
【００３２】
透明電極１３１として、例えばＩＴＯ付きのＰＥＴフィルムが用いられる。その場合に、例えば、数百ミクロンの透明ＰＥＴに、連続スパッタリングでＩＴＯ（イリジウム−錫の酸化物）膜を形成する。
【００３３】
発光層１３２として、例えばＺｎＳ（硫化亜鉛）に不純物をドープしたものが用いられる。その不純物として、一般的には銅が用いられ、これにより青緑（ブルーグリーン）色に発光する。青緑の発光色は、輝度、寿命、安定性において有利である。しかし、外部に出る光を白色または昼光色とするため、青緑の余色であるピンクによって補正する。補正の方法は、ピンクの顔料を数％程度の割合でＺｎＳの発光層１３２に混入する。補正の他の方法は、ＰＥＴフィルム上にピンクの顔料による薄い膜を形成し、これを発光層１３２の表面にフィルタとして配置する。
【００３４】
ピンクの顔料には無機顔料または有機顔料が用いられる。無機顔料として、Ｚｒ・Ｓｉ・Ｆｅ系のコーラルピンク、Ｃｒ・Ｓｉ・Ａｌ系化合物、または、Ａｕ・Ｓｉ・Ａｌ・Ｎａ系化合物などの淡いピンク色が用いられる。まら、イエローと薄い赤を適度に混色してもよい。イエローにはＺｒ・Ｓｉ・Ｐｒなどのプラセオジウム系、赤にはＣｒ・Ｔｉ・Ｓｂ系が用いられる。
【００３５】
保護層１３０および保護層１３５は、透明電極１３１、発光層１３２、絶縁層１３３、および背面電極１３４からなる積層体構造を密封し、照明装置１３の全体を水や湿気から保護するためのものである。
【００３６】
照明装置１３として、公知の種々の構成のＥＬを用いることができる。照明装置１３に、機械的な保護のための、または取り付けのための基部材を設けることができる。図５に示す照明装置１３にはそのような基部材１３６が設けられている。
【００３７】
上のように構成された画像表示装置１の使用方法について説明する。
照明装置１３に電源を供給していないとき、つまり照明装置１３が発光していないときは、照明装置１３の表面ＨＭはピンク色をしている。観察者が矢印Ｍ１方向から見ると、第１の画像層１１の第１の画像１１１が、外部の照明光によって照明され、その反射光によって観察される。第２の画像層１２は、第１の画像層１１の透過孔２１を通してのみ見えるので、暗く奥まっており、画像として明瞭には観察されない。照明装置１３の表面ＨＭがピンク色であるが、第２の画像層１２の全体が透明であるので、ピンク色は目立って現れることがない。そのため、観察者から見る画像の色がピンク掛かってしまうことがない。
【００３８】
照明装置１３に電源を供給したとき、つまり照明装置１３が発光したときは、白色の光が出るので、第２の画像層１２の第２の画像１２２が背面からの照明により鮮明に観察される。白色の光による照明であるので、第２の画像１２２の原画像に忠実な色で再現される。その場合に、外部の照明光がある場合には、第１の画像層１１の第１の画像１１１も同時に観察される。外部の照明光が太陽光線のように強い場合であっても、シート状体１２１つまり第２の画像層１２の全体が透明であるので、ピンク色は目立って現れることがない。外部の照明光がない場合でも、第２の画像１２２のみによって十分鮮明に観察される。
【００３９】
したがって、昼であっても夜であっても、また屋内であっても屋外であっても、正確に色彩表現された鮮明な画像を観察することができる。
上の実施形態においては、第１の画像層１１、第２の画像層１２、および照明装置１３を一体としたものについて説明したが、例えば、第１の画像層１１と第２の画像層１２とのみを一体として構成し、これを画像シートとしてもよい。その場合において、第２の画像層１２の表面に粘着層１２３を設ける場合には、その表面に剥離シートを設けておけばよい。そして、そのような画像シートを、適当なＥＬまたは蛍光灯などを用いた適当な照明装置に取り付け、背面からの照明を行って使用すればよい。
【００４０】
その他、画像表示装置１の全体または各部の構造、形状、寸法、個数、材質、画像の内容などは、本発明の趣旨に沿って適宜変更することができる。
【００４１】
【発明の効果】
本発明によると、ＥＬを用いることによって小型軽量化が可能であり、反射光と透過光のいずれによっても画像の色の変化しない鮮明な画像を見ることが可能である。
【図面の簡単な説明】
【図１】本発明に係る画像表示装置の構成を示す断面図である。
【図２】照明装置の構成の一例を示す断面図である。
【図３】第１の画像層の正面図である。
【図４】他の例の第１の画像層を示す正面図である。
【図５】画像表示装置を分解して示す斜視図である。
【符号の説明】
１  画像表示装置
１１  第１の画像層（画像シート）
１１１  第１の画像
１１２  シート状体
１２  第２の画像層（画像シート）
１２１  シート状体
１２２  第２の画像
１３  照明装置
【図１】
2005031376.tif 000003
【図２】
2005031376.tif 000004
【図３】
2005031376.tif 000005
【図４】
2005031376.tif 000006
【図５】
2005031376.tif 000007